Podtech/llm-jp-corpus-v4-ja_patent huggingface dataset:
(57)【要約】【課題】タブレット端末を固定電話機の子機にし、子機であるタブレット端末から、親機である固定電話機に付与された電話番号での電話発着信と通話をするシステムを供給する。【解決手段】親機である固定電話機に、子機であるタブレット端末からの電話番号発信と付随する操作シグナルを認識し、親機である固定電話機に付与された電話番号発信と付随する操作シグナルへ変換して電話する相手へ発信する機能を設ける一方、子機であるタブレット端末に、親機からの親機である固定電話機に付与された電話番号への着信と付随する操作のシグナルを認識し、親機である固電話機に付与された電話番号に対する着信と付随する操作に応答する機能を設け、また、親機である固定電話機と子機であるタブレット端末に、お互いから送信、または受信した音声シグナル、或いは音声変換シグナルを認識し、各自に用いられる音声シグナル、或いは音声変換シグナルに変換する機能を設ける。【選択図】図１
2017163514.tif 000002
【特許請求の範囲】
【請求項１】
タブレット端末を固定電話機の子機にし、親機である固定電話機に、子機であるタブレット端末からの電話番号発信と付随する操作シグナルを認識し、親機である固定電話機に付与された電話番号発信と付随する操作シグナルへ変換して電話する相手へ発信する機能を設け、子機であるタブレット端末から親機である固定電話機に付与された電話番号での電話発信する機能を具備することを特徴とする電話装置。
【請求項２】
上記請求項１の子機であるタブレット端末に、親機からの親機である固定電話機に付与された電話番号への着信と付随する操作のシグナルを認識し、親機である固電話機に付与された電話番号に対する着信と付随する操作に応答する機能を設け、子機であるタブレット端末にて、親機である固定電話機に付与された電話番号への電話発信を応答する機能を具備することを特徴とする電話装置。
【請求項３】
上記請求項１の親機である固定電話機と子機であるタブレット端末に、お互いから送信、または受信した音声シグナル、或いは音声変換シグナルを認識し、各自に用いられる音声シグナル、或いは音声変換シグナルに変換する機能を設け、子機であるタブレット端末から親機である固定電話機を通じ、親機である固定電話機に付与された電話番号で音声通話する機能を具備することを特徴とする電話装置。
【発明の詳細な説明】
【発明の詳細な説明】
【技術分野】
【０００１】  本発明は、タブレット端末を固定電話機の子機にする電話装置に関する。
【背景技術】
【０００２】  従来では、タブレット端末を固定電話機の子機にする場合は、親機である固定電話機に付与された電話番号での電話発着信及び通話することができない。音声通話をするには、インターネットを介する音声通話アプリをタブレット端末にインストールして行うのが一般的である。
【発明の概要】
【発明が解決しようとする課題】
【０００３】  固定電話親機の子機であるタブレット端末から、固定電話機に付与された電話番号での電話発着信と通話ができない。【０００４】  本発明は、子機であるタブレット端末から、親機である固定電話機に付与された電話番号での電話発着信と通話をするシステムを提供する。
【課題を解決するための手段】
【０００５】  本発明は、親機である固定電話機に、子機であるタブレット端末からの電話番号発信と付随する操作シグナルを認識し、親機である固定電話機に付与された電話番号発信と付随する操作シグナルへ変換して電話する相手へ発信する機能を設ける。【０００６】  子機であるタブレット端末に、親機からの親機である固定電話機に付与された電話番号への着信と付随する操作のシグナルを認識し、親機である固電話機に付与された電話番号に対する着信と付随する操作に応答する機能を設ける。【０００７】  親機である固定電話機と子機であるタブレット端末に、お互いから送信、または受信した音声シグナル、或いは音声変換シグナルを認識し、各自に用いられる音声シグナル、或いは音声変換シグナルに変換する機能を設ける。
【発明の効果】
【０００８】  本発明によれば、子機であるタブレット端末と親機である固定電話機はお互いの発信、着信操作と音声シグナルを認識し、受信側の用いられるシグナルに変換することにより、子機であるタブレット端末にて、親機である固定電話機を通じて親機である固定電話機に付与された電話番号での発着信と通話が可能になる。【０００９】  以下に説明される発明を実施するための最良の形態を添付の図面を参照して詳細に説明する。
【発明を実施するための形態】
【００１０】  以下に本発明の実施の形態について、図面を参照して説明する。
【００１１】  図１のように、親機である固定電話機１と子機であるタブレット端末２をデータ通信ケーブルにて有線接続し、または、無線ＬＡＮ、Ｂｌｕｅｔｏｏｔｈなどを介して無線接続をする。尚、利用者はこの接続方式を選択できる。
【００１２】  電話の発信、受信、通話シグナルはインターネット通信データに変換され、親機と子機の間でパケット通信を行い、親機と子機に、受け取ったパケット情報を各自に用いられるシグナルにそれぞれ変換するプログラムなどの手段を設ける。
【００１３】  子機であるタブレット端末からの発着信操作シグナル及び音声シグナルを親機である固定電話親機が受信し、親機である固定電話機に付与された電話番号発信と付随する操作シグナルへ変換する。
【００１４】  子機であるタブレット端末に、親機からの親機である固定電話機に付与された電話番号への着信と付随する操作のシグナルを認識し、親機である固電話機に付与された電話番号に対する着信と付随する操作に応答する。
【００１５】  親機である固定電話機と子機であるタブレット端末は、お互いの音声シグナル、或いは音声変換シグナルを各自に用いられる音声シグナル、或いは音声変換シグナルに変換して音声通話を実現させる。
【００１６】
【図面の簡単な説明】
【００１７】
【図１】本発明のシステム構成図。
【符号の説明】
【００１８】１  親機である固定電話機
２  子機であるタブレット端末
３  無線又は有線接続
４  子機からのシグナル
５  親機からのシグナル
【図１】
2017163514.tif 000003
(57)【要約】      （修正有）【課題】電源電圧範囲をほぼ完全に利用しえる完全Ｂ級作動を可能にして無駄電流無駄電圧を絶滅する回路構成を提供する。【解決手段】入力信号を位相反転させて、オペアンプによる理想ダイオード回路２組を用いて負荷を駆動する。【選択図】図８
2017163512.tif 000002
【特許請求の範囲】
【請求項１】
オペアンプによる理想ダイオード回路を相補的あるいはプッシュプルに構成して成るＢ級増幅回路の構成
【請求項２】
理想ダイオード回路の構成要素であるダイオードをトランジスタのベースエミッタ部で代行してそのトランジスタのコレクタ回路を出力回路に用いることを特徴とする請求項１のＢ級増幅回路の構成
【発明の詳細な説明】
【技術分野】
【０００１】この発明は主としてきわめて電力効率を高める必要がある装置に用いられる出力回路の提供に係る。
きわめて小型が要求される補聴器特に耳穴補聴器や耳掛補聴器などに最適であるがほかに同様の小型装置用たとえば携帯電話機、ラジオ、録音機、ＣＤプレーヤーなどにも使用可能である。
【背景技術】
【０００２】小型補聴器は電池駆動が必須であり小型にするためには小型の電池を使用する必要がある。そのためには出来るだけ消費電力を削減しなければならない。
【発明の開示】
【発明が解決しようとする課題】
【０００３】従来補聴器の出力回路はイヤホンを歪少なく駆動するためにＡ級作動を必要としていた。
この方式では公知のとおり電力効率は５０％が理論上の最大であり実際には３０％程度で使用される。これは入力信号がないときイヤホンに流れる電流が０ではないことから明確である。
実際の補聴器では無信号電流が１ｍＡ  程度流れておりこれが効率低下の原因になっている。
【課題を解決するための手段】
【０００４】公知の技術としてＢ級作動あるいはＣ級作動が知られている。
Ｃ級作動は高周波領域のみで使用される回路で音声増幅では歪があって使用できない。
Ｂ級作動は従来から効率向上目的で使用されていたが従来回路では歪除去のため若干の無信号電流を流してやらないと実用にならずこれをＡＢ級と称していた。
さらにＡＢ級作動には電源電圧範囲を完全にすべて活用することが出来ない欠点がある。これは素子特性の湾曲部分を削除するために発生するもので０．６Ｖ程度である。【０００５】この発明はこのＢ級作動の無駄電流を除去し、電源電圧範囲をほぼ完全に利用しえる完全Ｂ級作動を可能にして無駄電流無駄電圧を絶滅する回路構成を提供するものである。
図１はＡ級作動のトランジスタ回路による。縦軸はコレクター出力、横軸は入力電圧である。
トランジスタの電圧電流特性は図のように湾曲しているので入力電圧が０の近辺では比例出力電流が得られない。よって直線性の高い所まで右方にずらせるため入力にバイアスをかけて使用する。
これは公知の技術である。このバイアス電流が電源効率を低下させる。
そこで図２のようなＢ級作動が考えられている。この方式はバイアス電流を減少させるもので電源効率は向上するが非常に大きい歪が発生する。
なおこの図２の構成では入力の上半波のみしか作動しないから図３のように相補接続あるいはプッシュプル接続にして使用する。
これは公知であるから説明を省略する。
一方オペアンプの回路には理想ダイオードなる構成が知られている。これは図４のような特性をもち、トランジスタによる湾曲が全くない。
図５はその回路構成である。
図においてオペアンプ１は出力をダイオード２と抵抗３をもって負入力に帰還させる。入力４はオペアンプ１の正入力に与えるが抵抗を介して負入力に与えてもよい。
出力はダイオード２の出力から取り出す。
この回路を相補使用とすれば完全なＢ級作動が可能となる。
ただしこの回路のみでは負荷が重いとオペアンプが駆動しきれないので増幅器としてトランジスタ６を付属させる。
これが図６である。トランジスタ６はエミッタフォロワーとしてエミッタ出力に負荷７をつなぐ。
この構成を相補にした特性は図７のように完全なＢ級作動を取る。
この回路は無信号時の消費電力が完全に０でありほぼ能率１００％の回路になる。
これと動作が同一で簡易化されているのが図８の構成である。
この回路は図６の構成のダイオード２をトランジスタ６のベースエミッタ間で代行する。
負荷９はエミッタに接続すれば基本の図５の回路と等しくなるがトランジスタのコレクタを電源に接続しておけば負荷の消費電力はトランジスタから供給されてオペアンプの負担にはならない。
また負荷８をコレクタに接続すれば振幅を適宜増大させることが出来る。
【発明の効果】
【０００６】補聴器のような小型機器で消費電力を削減することは重要な要件であるがこの構成を用いることによって無信号時の電力を激減させることができるのでその効用はきわめて高い。
さらに先に述べたように従来必要であったバイアス電圧が無用になるので電源電圧利用の範囲が拡張される。
この利用範囲の拡張は通常の電子機器回路のような電源電圧２０Ｖ程度で使用される場合は１９．４／２０で大して利点にはならないが補聴器など電源電圧１Ｖ程度で使用しなければならない機器においては利用率が０．４／１から１／１と２倍以上向上するのできわめて効果的である。
【発明を実施するための最良の形態】
【０００７】本発明の実施にあたっては必然的に相補構成またはプッシュプル構成をとる必要がある。
入力信号を位相反転させて図８と同一回路２組を用いて負荷を駆動するときは両負荷を直列に接続する。
補聴器の場合は負荷はイヤホンであるからイヤホンの駆動コイルにセンタータップを設けここを電源に接続する。これがプッシュプル構成の方式である。
また図８に示す回路の相補構成を用いるときは入力を並列に加え、出力はエミッタに共通負荷を設けるかコレクタよりコンデンサを介して負荷に接続する。
【図面の簡単な説明】
【０００８】
【図１】Ａ級作動特性
【図２】Ｂ級作動特性
【図３】相補のＢ級作動特性
【図４】理想ダイオード回路の作動
【図５】理想ダイオード回路の構成
【図６】トランジスタをつないだ理想ダイオード回路の構成
【図７】相補の理想ダイオード回路の作動
【図８】トランジスタをつないだ理想ダイオード回路の第２の構成
【符号の説明】
【０００９】１  オペアンプ  ２  ダイオード  ３  抵抗  ４  入力  ５  出力  ６  トランジスタ  ７、８、９  負荷
【図１】
2017163512.tif 000003
【図２】
2017163512.tif 000004
【図３】
2017163512.tif 000005
【図４】
2017163512.tif 000006
【図５】
2017163512.tif 000007
【図６】
2017163512.tif 000008
【図７】
2017163512.tif 000009
【図８】
2017163512.tif 000010
(57)【要約】【課題】    ちいさい盆栽用の苗を、提供する。【解決手段】    土を使わず、傾けて回せる苗床を、特徴とする。【特許請求の範囲】
【請求項１】
植物を束ねて、傾けて回せる苗床。
【請求項２】
束ねた苗床の、赤松の根と、松茸菌のデート。
【発明の詳細な説明】
【技術分野】
【０００１】この発明は、盆栽用苗床に関するものである。
傾けて、回すには、従来の鉢では、土が、こぼれる。
傾けて回すために、土を、避けて、次のものを、作った。
草丈のある葦、よし、萱、稲藁などを、束ねる。
これを鉢代わり、苗床に、する。
これら植物をたたいたり、割ったりして、水の、含みを、よくする。
円く束ねて、苗床にする。
【背景技術】
【０００２】畑に種を、捲いたり、土を入れた苗床又は、鉢を使用した。
【発明の概要】
【発明が、解決しようとする課題】
【０００３】（イ）  土が、こぼれる。
（ロ）  赤松の根と、松茸菌を、デートさせたい。
【課題を、解決するための手段】
【０００４】植物をたたいたり、さいたり、割ったりして束ねた。
【発明の効果】
【０００５】（イ）  土を、使用しない。
（ロ）  苗床の束から、赤松の根がでかかったり、出る。デートしやすくなる。
【図面の簡単な説明】
【０００６】
【図１】  本発明の正面図
【図２】  本発明の側面図
【発明を、実施するための形態】
【０００７】以下  本発明を、実施するための形態について説明する。
丈のある植物（主によし、葦、萱、稲藁など）たたいたり割ったりさいたりして、円く束ねる。
【図１】
2017216989.tif 000002
【図２】
2017216989.tif 000003
(57)【要約】      （修正有）【課題】外観を損なうことがない、誘導加熱、磁力装置および二酸化炭素ボンベの内蔵によるケーブル、パイプレス型球形観賞魚飼育水槽の提供。【解決手段】二酸化炭素ボンベ９を水槽内に内蔵、水槽底面に設置される台からの誘導加熱、また磁力で水槽底面に設置されるスクリュー７を回転させることにより濾過フィルター８に水流を発生させる。これによってケーブル、パイプなどの接続部分を持たない球形水槽を実現する。【選択図】図２
2017216960.tif 000002
【特許請求の範囲】
【請求項１】
水槽と前記水槽の下部に設けられた電気抵抗素材からなる枠体と、内部にろ過材が収納される前記水槽内底面部に設置された筒体と、前記筒体の下部に設けられたスクリューと、前記筒体の上部に水槽の底面と離れて設けられ前記水槽の上部に水槽の底面と離れて設けられ前記水槽との間に導出口が形成される隔壁と、前記水槽の下面に位置し、前記枠体を加熱する電磁誘導加熱装置を有する設置台と、前記設置台に設けられた前記スクリューを駆動する磁力発生装置とを備えることを特徴とする水槽装置。
【請求項２】
筒体の内部に二酸化炭素ガスボンベが収納されていることを特徴とする請求項1記載の水槽装置。
【発明の詳細な説明】
【技術分野】
【０００１】
本発明は、熱帯魚及び水草の育成するにあたり観賞の妨げとなるパイプ、ケーブル及びガラス接着面を持たない水槽に関するものである。
【背景技術】
【０００２】
熱帯性観賞魚の飼育に用いられる飼育器具は三種類の器具が必要となる。すなわち、水槽、ヒーター、水質のろ過装置である。加えて、水草の育成をするにあたっては二酸化炭素の添加が望ましい。
ヒーター、ろ過装置、二酸化炭素添加は電流、水流、気体を供給しなければ稼働しない。このため、この三つの装置は供給源からケーブル、パイプで繋がっているのであるが、観賞の邪魔になるために通常は立方体の水槽の背面、側面から接続されている。
【０００３】
しかし、このことによって水槽を観賞する方向が限定され水槽の形状は直方体に制限されてしまう。
【０００４】
これらの制限を回避した観賞魚の飼育器具も存在するが、観賞位置が制限されず器具が見えないようにする技術はオーバーフロー式というろ過方式の変形であり、水槽の下部にパイプを接続し別の水槽に接続しなければいけないので装置が煩雑となり大型化するという問題が存在した。一方でヒーターの接続にケーブルを用いない技術、ろ過装置に水槽外部からのパイプを使わない技術は水槽の形状が旧来のままの直方体に制限されているという問題があった。
【０００５】
【先行技術文献】
【特許文献】
【０００６】
【特許文献１】特開２００３−００００００号公報
【発明の概要】
【発明が解決しようとする課題】
【０００７】
解決しようとする問題点は、観賞魚を飼育する水槽における観賞方向を制限する水槽の形状、装置の接続に必要となるケーブル及びパイプ、そして装置全体の大型化、そして水槽底面にヒーターを設置しても熱交換が効率的に行えないという点である。
【課題を解決するための手段】
【０００８】
第１の発明は、水槽と前記水槽の下部に設けられた電気抵抗素材からなる枠体と、内部にろ過材が収納される前記水槽内底面部に設置された筒体と、前記筒体の下部に設けられたスクリューと、前記筒体の上部に水槽の底面と離れて設けられ前記水槽の上部に水槽の底面と離れて設けられ前記水槽との間に導出口が形成される隔壁と、前記水槽の下面に位置し、前記枠体を加熱する電磁誘導加熱装置を有する設置台と、前記設置台に設けられた前記スクリューを駆動する磁力発生装置とを備えることを特徴とする水槽装置である。
第２の発明は、第１の発明において、筒体の内部に二酸化炭素ガスボンベが収納されていることを特徴とする水槽装置である。
【発明の効果】
【０００９】
本発明の観賞魚用水槽は、水温、水質維持、二酸化炭素添加を行う装置に付属するケーブルやパイプが存在しないため、外観を損なうこと無く金魚鉢型の水槽で熱帯魚と水草の育成ができるという利点がある。
【図面の簡単な説明】
【００１０】
【図１】水槽の設置例
【図２】水槽の断面を映したもの
【発明を実施するための形態】
【００１１】
図１は、水槽の設置例を示したものである。１は台から供給される電力により誘導加熱を行うヒーター、２は水槽の低床と水流の通り道を分離するための隔壁である。３は水の取り込み口である。4は水流の排出口で、景観を損ねないように隔壁の周辺部に設置されている5、6はそれぞれヒーターの温度、水流の調整のためのつまみである。
【００１２】
図２は、水槽の断面を映したものである。1で示されているヒーターは水槽壁の下部と一体化している。２は隔壁であるが水質濾過を行うにあたり台に内蔵されている装置からの磁力により7のスクリューを回転させることで、3から水を取り込み、8の濾過材を経由し水の排出を4の穴から水槽壁面で行う。この時に9の二酸化炭素ボンベから二酸化炭素を放出しこれを水流に乗せる。そして構成要素3,8,7,9は円筒形の格納容器によってユニット化しておりメンテナンスを行う際には適宜水槽から取り出すことができる。
【符号の説明】
【００１３】
１    電気抵抗素材
２    隔壁
３    導入口
４    導出口
５    ヒータ温度調整つまみ
６    スクリューの回転数調整つまみ
７    スクリュー
８    ろ過材
９    二酸化炭素ボンベ
【図１】
2017216960.tif 000003
【図２】
2017216960.tif 000004
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
水槽と前記水槽の下部に設けられた電気抵抗素材からなる枠体と、内部にろ過材が収納される前記水槽内底面部に設置された筒体と、前記筒体の下部に設けられたスクリューと、水槽の低床と水流の通り道を分離するために前記筒体の上部に水槽の底面と離れて設けられ、周辺部に水流の導出口が形成されている隔壁と、前記水槽の下面に位置し、前記枠体を加熱する電磁誘導加熱装置を有する設置台と、前記設置台に設けられた前記スクリューを駆動する磁力発生装置とを備えることを特徴とする水槽装置。
【請求項２】
筒体の内部に二酸化炭素ボンベが収納されて散ることを特徴とする請求項１記載の水槽装置。
(57)【要約】【課題】私たちの様々な学習作業の中に、効果的に視覚的長期記憶（VLTM）を利用したシステムを導入することで、より効率的な学習を行うことを可能とする。【解決手段】画像やごく短い動画に文字及び音声を付帯させ、さらに携帯電話、スマートフォン、タブレット端末、パーソナルコンピューターに装備されているカメラで顔面を認識させ瞬きや眼球運動を検知することでスイッチとして利用できるインタフェースと連動し、スライドショーを実施することを可能とすることで、より効率的な記憶学習を行うことができる学習システムを提供することで本課題を解決する。【選択図】なし【特許請求の範囲】
【請求項１】
画像やごく短い動画に文字及び音声を付帯させ、さらに携帯電話、スマートフォン、タブレット端末、パーソナルコンピューターに装備されているカメラで顔面を認識させ瞬きや眼球運動を検知することでスイッチとして利用できるインタフェースと連動し、スライドショーを実施することを可能とすることで、視覚的長期記憶（VLTM）を用いたより効率的な記憶学習を行うことができる学習システム。
【発明の詳細な説明】
【技術分野】
【０００１】
本考案は、画像やごく短い動画に文字や音声を付帯させ、さらに携帯電話、スマートフォン、タブレット端末、パーソナルコンピューターに装備されているカメラで顔面を認識させ瞬きや眼球運動を検知することでスイッチとして利用できるインタフェースと連動し、スライドショーを実施することを可能とすることで、より効率的な記憶を行うことができる学習システムに関するものである。
【背景技術】
【０００２】
多くの人々は、実験室環境下で記憶するように言われた数千枚のスライドショーの画像を後々、高い成績で再認することができる。この現象はすでに1970年代には心理学におけるShepard（１）やStanding（２）の実験によって視覚的長期記憶（VLTM）として知られていた。ランドマークとなる研究では、被験者は1万枚の場面写真をそれぞれ数秒間見た後、83％の正確さで2枚の画像から自分の見たことのある画像を選り分けることができた（２）とされている。また、記憶は符号化（記銘）、貯蔵（保持）、検索（想起）の過程を経て蓄積される(３)と考えられており、符号化の段階では様々な方略が用いられる。その方略のひとつとして、符号化する情報に別の情報を付加する精緻化(３)がある。そこで、対象となるスライドショーの画像やごく短い動画に精緻化に必要な文字及び音声を付帯し、符号化（記銘）を促進する。そして、これらの画像及びごく短い動画を利用した学習作業の操作を、携帯電話、スマートフォン、タブレット端末、パーソナルコンピューターに装備されているカメラによって、使用者の顔面を認識させ、瞬きや眼球運動をスイッチとして利用できるインタフェースと連動させ提供する。
【先行技術文献】
【特許文献】
【０００３】
【特許文献１】特開2001‐013861
【特許文献２】特表2010‐515082
【非特許文献】
【０００４】
【非特許文献１】Shepard RN(1967)Recognition memory for words,sentences,and pictures.J Verb Learn Verb Behav 6:156-163.
【非特許文献２】Standing L(1973) Learning 10,000 pictures. Q J Exp Psychol 25:207-222
【非特許文献３】中島  義明／安藤  清志／子安  増生／坂野  雄二／繁桝  算男／立花  政夫／箱田  裕司[編]「心理学辞典」江草  忠敬  発行、1999年１月25日、ｐ．150、ｐ．498
【発明の概要】
【発明が解決しようとする課題】
【０００５】
私たちの様々な学習作業の中に、効果的に視覚的長期記憶（VLTM）を利用したシステムを導入することで、より効率的な学習を行うことを可能とする。
【課題を解決するための手段】
【０００６】
画像やごく短い動画に文字及び音声を付帯させ、さらに携帯電話、スマートフォン、タブレット端末、パーソナルコンピューターに装備されているカメラで顔面を認識させ瞬きや眼球運動を検知することでスイッチとして利用できるインタフェースと連動し、スライドショーを実施することを可能とすることで、より効率的な記憶学習を行うことができる学習システムを提供することで本課題を解決する。
【発明の効果】
【０００７】
集中して作業を実施することで、画像またはごく短い動画それら自体を記憶するタイプの学習だけでなく、画像またはごく短い動画と文字を結びつけて記憶するタイプの学習、画像またはごく短い動画と音声を結びつけて記憶するタイプの学習、画像またはごく短い動画と文字及び音声を結びつけて記憶するタイプの学習に奏効する。
【実施例】
【０００８】
画像またはごく短い動画のスライドショーを用いることで、様々な種類の学習を行うことが可能である。例えば、幼児向けの語学学習では、家具や家電などの画像に単語の綴りと発音された音声を付帯することで精緻化を促進し、単語の記憶学習をより効果的に行うことができる。また、様々な分野の図鑑などに掲載されている写真とタイトルを結びつけて記憶することができるので、自然科学分野における動物や植物、鉱物などの名前を学習することも可能である。また、様々な分野の芸術作品が誰の作品でどういったタイトルなのか学習することも可能である。インタフェースには画像に関するより詳細な情報を表示する機能が付帯されており、記憶作業を実施しながらにして精緻化に必要な知識をより深めることができる。さらに画像が確かに記憶されているか否かを検定することを可能とし、このことにより学習者の意欲を高揚し、もって学習効果を高める。
(57)【要約】【課題】従来のスリッパは洗濯機で気軽に洗えない物がほとんどで、洗えるスリッパは本体ごと洗うタイプの為、乾きづらく気軽に洗えるとは言えず、乾くまで替えのスリッパが必要となる。本発明は気軽にスリッパカバーが洗濯出来、衛生が保てるスリッパを提供する。【解決手段】スリッパ足底部布を袋状にし、足底部クッションから外せるようにすることで洗濯出来るようにする。又、足底部クッションを出し入れする部分は、伸縮性のあるものとし、使用中でも、足底クッションが足底部布から飛び出さず外れないようにすることを特徴とする、洗えるカバー付きスリッパ。【選択図】図２
2017104459.tif 000002
【特許請求の範囲】
【請求項１】
スリッパ足底部を袋状となるカバーとし、足底クッションから外せることで、洗えるカバー付きスリッパ。
【発明の詳細な説明】
【技術分野】
【０００１】本発明は、洗えるカバー付きスリッパに関する物である。
【背景技術】
【０００２】従来のスリッパは、カバーがついておらず、気軽に洗濯機で洗えないものである。
【先行技術文献】
【特許文献】
【０００３】
【特許文献】
【発明の概要】
【発明が解決しようとする課題】
【０００４】スリッパは洗濯機で気軽に洗えないものがほとんどで、洗えるスリッパは本体ごと洗うタイプの為、乾きづらく気軽さを欠くうえに、乾くまでの替えのスリッパが必要となる。本発明は、以上の問題点を解決するためになされたものである。
【課題を解決するための手段】
【０００５】スリッパにカバーを付け、足底クッション芯からカバーが外せて洗いたいときは気軽に外し洗濯機で洗えるようにする。
以上の構成よりなる洗えるカバー付きスリッパ。
【発明の効果】
【０００６】スリッパにカバーを付け、取り外しが容易にでき、洗濯出来ることにより衛生が保てる。
【図面の簡単な説明】
【０００７】
【図１】本発明の斜視図である
【図２】本発明の使用状態を示す斜視図である
【発明を実施するための形態】
【０００８】以下、本発明の実施の形態を説明する
（１）スリッパの足底部のクッションとなる芯（４）を包むように布を袋状にする。
（２）芯（４）が、袋（１）から出し入れ出来、使用中、芯（４）が、袋から出てこないように袋（１）の入り口にゴムを付け伸縮するようにする。
（３）足背部には使用中スリッパが脱げないようにアーチ状の少し固めの芯のついた布をあて、（１）に付着させ、カバー（５）とする。
本発明は以上のような構造である。
本発明を使用するときは、足底クッション出し入れ口（２）から足底クッション（４）を抜き取り、カバー（５）と足底クッション（４）を分離し、カバー（５）が洗える。
【符号の説明】
【０００９】（１）足底部
（２）カバー取り外し用、ゴム付き足底クッション出し入れ口
（３）足背用
（４）足底クッション
（５）カバー（１）＋（２）＋（３）
【図１】
2017104459.tif 000003
【図２】
2017104459.tif 000004
(57)【要約】【課題】  六角軸工具は、多種にわたり、容器も様々で管理が難しく、充電ドライバーなどの先端工具を差替え時、探す手間や交換に時間を要していた。  本発明は、六角軸工具を片手で容易に収納・取出しが出来る、収納具を提供する。【解決手段】  円筒体の側面に、統一的に規格されて使用されている様々な六角軸工具（対辺６．３５ｍｍ）の取付部より大きい孔（以降、挿入口と呼ぶ）を円筒の側面に開け、それに連続した形で六角軸工具のくびれの最小幅より大きく・挿入口より小さい孔を周回させて穿口したところのくびれ挿着レール溝を連続的に複数並設け、飛び出し防止蓋で挿入口の開閉が出来ることにより、六角軸工具の飛び出しを防止することを特徴とする六角軸工具の収納具。【選択図】図１
2017104458.tif 000002
【特許請求の範囲】
【請求項１】
円筒体の側面に、六角軸工具（対辺６．３５ｍｍ）の取付部より大きい孔（以降、挿入口と呼ぶ）を開け、それに連続した形で六角軸工具のくびれの最小幅より大きく・挿入口より小さい孔を、周回させて穿口したところのくびれ挿着レール溝を凡そ２センチ間隔で連続的に複数並設した六角軸工具の収納具。
【請求項２】
挿入口からくびれ挿着レール溝と反対側へ少し離れた位置に、挿入口の並びに沿って、飛び出し防止蓋を設け、飛び出し防止蓋の両端は蓋固定ネジで止められ、この蓋固定ネジを軸としてスライドする蓋スライド孔を設けて、挿入口の開閉が出来ることを特徴とする請求項１の六角軸工具の収納具。
【請求項３】
円筒の両端に雄ネジと雌ネジを設け、ブラケットなどへの固定が可能で、収納本数を増やしたい時は、本発明を連結延長する事が出来ることを特徴とする請求項１又は請求項２の六角軸工具の収納具。
【発明の詳細な説明】
【技術分野】
【０００１】  本発明は、六角軸工具の収納・取出しが片手で簡単に出来る収納具に関するものである。
【背景技術】
【０００２】  六角軸工具は、充電ドライバーや電気ドライバーに取付ける各種先端工具であり、インターネットやホームセンター等で、バラ売りやセットで販売されており、仕切られた容器や数本を収納出来るビットホルダー又は１本づつのホルダーなどで保管していた。
【発明の概要】
【発明が解決しようとする課題】
【０００４】  六角軸工具は、多種多様で所持数も多く、収納も様々で管理が難しい。
充電ドライバーなどで六角軸工具を差し替える際、容器やホルダーからの取出しが片手では困難であり、プラスチックホルダーの穴は、新品時はきつく、出し入れを繰り返すうち緩くなり、工具を落とす危険もある。また、セットで販売される工具には、使用頻度の少ないものも含まれており、収納容器が増えたり、探すのに無駄な時間を費やしていた。
作業場で各工具の整理整頓で、壁掛けボードなどを利用し、定物定位管理が一般的だが、六角軸工具を壁掛けボードに、取出し易く保管出来るものは、存在していない。
本発明は、以上の問題点を解決するためになされたものである。
【課題を解決するための手段】
【０００５】  円筒体の側面に、統一的に規格されて使用されている様々な六角軸工具（対辺６．３５ｍｍ）の取付部より大きい孔（以降、挿入口と呼ぶ）を開け、それに連続した形で六角軸工具のくびれの最小幅より大きく・挿入口より小さい孔を約９０度周回させて穿口したところのくびれ挿着レール溝を凡そ２センチ間隔で連続的に複数並設する。
挿入口からくびれ挿着レール溝と反対側へ少し離れた位置に、挿入口の並びに沿って、飛び出し防止蓋を設け、飛び出し防止蓋の両端は蓋固定ネジで止められ、この蓋固定ネジを軸としてスライドする蓋スライド孔を設けて、挿入口を開閉する。
円筒両端は雄ネジと雌ネジを設け、ブラケットなどへの固定が可能で、収納本数を増やしたい時は、本発明を連結延長する事が出来る。
以上の構成よりなる六角軸工具の収納具である。
【発明の効果】
【０００６】  今まで面倒であった工具の取出しや収納が、片手で容易に行える為、無駄な動きが減り、六角軸工具を使用する作業が、より円滑に進められる。
また、壁掛けボード等への取付けも可能になり、必要に応じて収納具の連結延長もできて、雑然となりやすい作業環境の改善に繋がる。
【図面の簡単な説明】
【０００７】
【図１】  本発明の斜視分解図
【図２】  本発明に挿着される六角軸工具の側面図
【図３】  本発明の使用状態を示す斜視図
【発明を実施するための形態】
【０００８】以下、本発明の実施の形態を説明する。
（イ）円筒（１）側面に、六角軸工具（２）の取付部（３）が挿入できる挿入口（４）を開け、六角軸工具（２）のくびれ（５）がスライド出来るくびれ挿着レール溝（６）を複数設ける。
（ロ）円筒（１）側面に、沿うようにスライド出来る、飛び出し防止蓋（９）に、スライドを可能にするための蓋スライド孔（１０）と、スライドを容易にするための縁（１２）を設け、円筒（１）に繋がった蓋固定ネジ（１１）によりを固定する。
（ハ）円筒（１）の両端は雄ネジ（７）と雌ねじ（８）を設ける。
本発明は以上のような構造である。
本発明の使用方法は、円筒（１）を水平に固定し、六角軸工具（２）の取付部（３）を円筒（１）側面の挿入口（４）に差込み、六角軸工具（２）のくびれ（５）部をくびれ挿着レール溝（６）に引っ掛けて手を離すと、自重でくびれ挿着レール溝（６）の軌道で端まで移動し、収納が出来る。
また、取出す時は、六角軸工具（２）をくびれ挿着レール溝（６）に沿って持上げ、六角軸工具（２）の取付部（３）が挿入口（４）にきたとき、手前に引き抜く事で取出しが出来る。
本発明を移動又は振動や衝撃などで、円筒（１）に取付けた六角軸工具（２）が挿入口（４）から飛び出す可能性がある場合は、飛び出し防止蓋（９）の縁（１２）を掴み、挿入口（４）が隠れる位置まで移動し、両端の蓋固定ネジ（１１）を締める事で、取付けた六角軸工具（２）が円筒（１）から外れる事を防止出来る。
円筒（１）を固定する場合、ブラケット（１３）に円筒（１）の雄ネジ（７）側から差込み、雌ネジ（８）部をボルト等で固定する。
また、ブラケット（１３）にマグネットシールを取付ければ、鉄板等への固定も可能。
収納本数を増やしたい時は、本発明を複数準備し、円筒（１）両端の雄ネジ（７）と雌ねじ（８）連結し、延長する事が出来る。
六角軸工具（２）には、軸両端にくびれ（５）を持つ物もあり、充電ドライバーに六角軸工具（２）を取付けたままの状態でも、円筒（１）に納める事も出来る。
【符号の説明】
【０００９】１    円筒
２    六角軸工具
３    取付部
４    挿入口
５    くびれ
６    くびれ挿着レール溝
７    雄ネジ
８    雌ネジ
９    飛び出し防止蓋
１０  蓋スライド孔
１１  蓋固定ネジ
１２  縁
１３  ブラケット
【図１】
2017104458.tif 000003
【図２】
2017104458.tif 000004
【図３】
2017104458.tif 000005
(57)【要約】      （修正有）【課題】皿回しの技芸の幅を広げ、技芸を安全にし、技芸の習得を容易にする皿回し用皿及び皿回し用棒を提供する。【解決手段】皿回し用皿の中心の上面および下面に凹み４，６を設け、環状脚部分３より内側の下面１に傾斜を設け、皿回し用の皿の外周に重錘２を装着し、環状脚部分３に傾斜を設けた。皿回し用棒５は両端を尖らせ、短くした。【選択図】図２
2017104461.tif 000002
【特許請求の範囲】
【請求項１】
皿回し用皿の中心下面に凹みを設けたことを特徴とする皿回し用皿。
【請求項２】
皿回し用皿の環状脚部分より内側の下面に中心が高くなるよう傾斜をつけたことを特徴とする請求項１に記載の皿回し用皿。
【請求項３】
皿回し用皿の外周に重錘を設けたことを特徴とする請求項１または請求項２に記載の皿回し用皿。
【請求項４】
皿回し用皿の環状脚部分を下ほど口径が小さくなるように傾斜を設けたことを特徴とする請求項１から請求項３のいずれかに記載の皿回し用皿。
【請求項５】
皿回し用皿の中心上面に凹みを設けたことを特徴とする請求項１から請求項４のいずれかに記載の皿回し用皿。
【請求項６】
皿回し用棒の両端を尖らせたことを特徴とする皿回し用棒。
【請求項７】
皿回し用棒を６０ｃｍ以下まで短くしたことを特徴とする請求項６に記載の皿回し用棒。
【発明の詳細な説明】
【技術分野】
【０００１】この発明は、中心の上面および下面に凹みを設け、環状脚部分より内側の下面に傾斜を設け、外周に重錘を装着し、環状脚部分に傾斜を設けた皿回し用皿および、両端が尖り短い皿回し用棒に関するものである。
【背景技術】
【０００２】従来、皿回し用皿の環状脚部分より内側は平坦な形をしていた。また、環状脚部分は垂直であり、環状脚部分の下端内側に突起物を設けていた。皿回し用棒は一方の先端しか尖っておらず、長かった。
【先行技術文献】
【特許文献】
【０００３】
【特許文献１】特開平８−７１２５９
【発明の概要】
【発明が解決しようとする課題】
【０００４】これは、次のような欠点があった。皿回し用皿の環状脚部より内側の下面は平坦な形をしており、回転中は常に棒を動かしていなければならなかった。上面が平坦であったため他の物を乗せることが出来なかった。以上のように、従来の皿回し用皿における技芸の自由度は低かった。また、皿回し用皿の環状脚部分の突起は技芸に失敗した際に指などを掛けて怪我をする可能性があった。皿回し用棒については長いため足の下や背中の後ろを通すことと皿回し用棒を投げ上げることが困難であった。さらに、皿回し用棒は一方の端でしか皿回し用皿を回すことができなかった。
【課題を解決するための手段】
【０００５】皿回し用皿の中心の上下面に凹みを設け、皿回し用皿の環状脚部分より内側の下面に傾斜を設け、皿回し用皿の外周に重錘を装着し、皿回し用皿の環状脚部分に傾斜を設けた。皿回し用棒は両端を尖らせ、短くした。
【発明の効果】
【０００６】皿回し用皿の中心の下面の凹みのため、皿回し用棒を動かし続けていなくても回転が維持できる。
皿回し用皿の環状脚部分の内側の傾斜のため、中心の下面の凹みに容易に皿回し用棒を誘導できる。
皿回し用皿の外周の重錘のため回転中の皿回し用皿が安定する。
皿回し用皿の環状脚部分が傾斜しているため、突起がなくても皿回し用皿を皿回し用棒の上に保持し、回転を停止しても皿回し用皿は皿回し用棒から離脱しない。また、指を掛けて怪我をする可能性が低い。
皿回し用皿の中心の上面に凹みを設けることで、皿回し用皿の上下を反転させる技芸と皿回し用皿の上にさらに皿回し用棒および装飾品を乗せる技芸が可能になった。
皿回し用棒の両端を尖らせることで、皿回し用棒を反転させる技芸および、皿回し用皿の上に皿回し用皿を乗せた皿回し用棒を乗せる技芸が可能になった。
皿回し用棒を短くすることで、皿回し用棒の上で回転している皿回し用皿を背中の後ろおよび足の下を通す技芸、および皿回し用棒を投げ上げる技芸が容易になった。
【図面の簡単な説明】
【０００７】
【図１】皿回し用棒を円運動させている状態の断面図である。
【図２】皿回し用棒を停止させ皿回し用皿が回転している状態の断面図である。
【図３】本発明の回転開始時および回転停止時の断面図である
【図４】皿回し用皿を上下反転させて使用した際の断面図である。
【図５】皿回し用皿の中心上面の凹みに皿および棒を乗せた状態の断面図である。
【図６】皿回し用皿の中心上面の凹みに装飾品を乗せた状態の断面図である。
【発明を実施するための形態】
【０００８】以下、本発明について図を用いて説明する。
図１には皿回し用棒を円運動させることで回転している皿回し用皿の断面図を示した。棒は環状脚部に接している。棒を停止させることで皿は重力に従って下方に移動し、中心下面の凹みに棒の先端が誘導され、図２の状態となる。図２の状態では皿回し用皿の中心下面の凹みに皿回し用棒の先端を挿入されている。棒を動かし続けなくても皿の回転を維持できる。皿の外周に重錘に設けられた重錘により回転モーメントが増し、回転中の皿の安定を得る。また、回転している皿を水平方向に動かす上で、皿と棒の位置関係が変化しにくく、技芸の幅を広げることができる。
【０００９】図３に皿回し用棒の上に回転していない皿回し用皿を掛けた状態を示した。環状脚部分の傾斜により皿は棒の先端から落下しない。また、皿の落下中に勢いよく指を掛けることによる怪我の可能性を減少させる。
【００１０】図４および図５および図６は皿回し用皿の中心の上面の凹みの用い方を示した。中心上面に設けられた凹みと皿回し用の棒の両端がとがっていることにより回転中の皿の上面に棒または回転中の皿と棒を乗せることが可能になる。また、食品サンプルをはじめとした装飾を乗せることが可能となる。
【００１１】また、棒の両端を尖らせたことにより、棒を反転させて使うことが可能になった。棒をリズミカルに反転させるなど技芸の幅が広がった。棒を投げ上げた際に、棒のどちら側を掴んでも速やかに皿を乗せた状態に復帰することが可能になり、技芸の安定性が増した。また、皿回し用棒を６０ｃｍ以下まで短くすることで回転している皿および棒を、背中の後ろおよび足の下を通す技芸、および棒を投げ上げる技芸が容易になった。
【符号の説明】
【００１２】１  環状脚部分より内側の下面
２  重錘、３  環状脚部分
４  中心下面の凹み
５  棒
６  中心上面の凹み
７  にぎり寿司の食品サンプル
【図１】
2017104461.tif 000003
【図２】
2017104461.tif 000004
【図３】
2017104461.tif 000005
【図４】
2017104461.tif 000006
【図５】
2017104461.tif 000007
【図６】
2017104461.tif 000008
(57)【要約】【課題】水筒を日々使用しスポンジ等で洗っても、水筒の注ぎ口が狭く底が深い為、洗い残しやすく気が付くと茶渋や水垢、更にはカビが発生している場合があった。  本発明は、水筒を清潔に使用し、日々の洗浄を簡素することを目的とした水筒内内袋を提供する。【解決手段】水筒内形状より縦に長い袋に、水筒内内袋の注ぎ口部分は水筒本体より長くし折り返し部を設け、折り返し部を保護する為の保護カバーを被せる構成よりなる水筒内内袋。【選択図】図１
2017104470.tif 000002
【特許請求の範囲】
【請求項１】
水筒内形状より縦に長い液体を通さない袋に、水筒内内袋の注ぎ口部分を長くし、水筒内内袋に折り返し部を設け、折り返し部を保護する為の保護カバーを上から被せるようにして取付ける水筒内内袋。
【発明の詳細な説明】
【技術分野】
【０００１】  本発明は、水筒内に袋を入れ、水筒本体内を汚さずに使用する、水筒内内袋に関するものである。
【背景技術】
【０００２】  従来、水筒に直接飲料をいれて使用しており、一般にスポンジに柄の付いた清掃道具などで、水筒内を洗って使用していた（特許文献１参照）。
【先行技術文献】
【特許文献】
【０００３】
【特許文献１】特開２０１２−７５８３９号公報
【発明の概要】
【発明が解決しようとする課題】
【０００４】  一般的に水筒は、間口が狭く奥が深い為、洗い難く気が付くと洗い残しから  茶渋や水垢、更にはカビが発生している場合があり、清潔に保ちにくいうえ、毎回の洗浄も手間だった。
本発明は、以上の問題を解決するためになされたものである。
【問題を解決するための手段】
【０００５】  水筒内形状より大きい液体を通さない袋に、注ぎ口部分は水筒内形状よりも長くし折り返し部を設け、折り返し部を保護する為の伸縮する保護カバーを被せる。
また水筒内内袋は、毎回交換することにより清潔に保つ。
以上の構成よりなる水筒内内袋。
【発明の効果】
【０００６】  従来は、衛生的にも問題があった水筒使用を、本発明により衛生的にまた普段の手入れも簡素化することができる。
本発明は、水筒内内袋を取り換えることにより、水筒を毎回洗浄することなく使用でき、また種類の違う飲料に入れ替えるときも、飲料水が混ざることを最小限にでき、外出先でも気兼ねなく新しい飲料に替えることができる。
【図面の簡単な説明】
【０００７】
【図１】本発明の水筒内内袋斜視図
【図２】本発明の保護バンド斜視図
【図３】本発明の使用方法を示す斜視図
【図４】本発明の水筒内内袋を水筒本体にセットした斜視図
【図５】本発明を装着し使用状態を示す傾斜図
【発明を実施するための形態】
【０００８】  以下、本発明の実施の形態を説明する。
（イ）液体を通さない水筒内内袋（１）に、巻き込み防止部の為、水筒内内袋（１）を水筒内長よりも長くし折り返し部（２）を設ける。
（ロ）使用時に、水筒内内袋（１）の折り返し部（２）の破れを防ぐための、伸縮性のある保護バンド（３）を用いて、水筒本体（４）の外側に出た、水筒内内袋（１）の折り返し部（２）の上から、被せ固定する。
本発明は以上のような構造である。
本発明を使用するときは、水筒本体（１）の水筒キャップ（５）を外し水筒本体（４）内に水筒内内袋（１）を水筒本体（４）内の底に着くまで入れ、水筒内内袋（１）の折り返し部（２）を水筒本体（４）外側へ折り返す。
水筒内内袋（１）の折り返し部（２）が水筒本体（４）内に入り込まないように水筒内内袋（１）の折り返し部（２）を抑え、水筒内内袋（１）内に飲料水を入れ、水筒内内袋（１）の折り返し部（２）を抑えたまま水筒キャップ（５）を閉める。
最後に保護バンド（３）を水筒本体（４）の外側から、水筒本体（４）外に出ている水筒内内袋（１）の折り返し部（２）が隠れるように被せて固定し使用する。
【符号の説明】
【０００９】  １水筒内内袋、２折り返し部、３保護バンド、４水筒本体、５水筒キャップ
【図１】
2017104470.tif 000003
【図２】
2017104470.tif 000004
【図３】
2017104470.tif 000005
【図４】
2017104470.tif 000006
【図５】
2017104470.tif 000007
(57)【要約】【課題】  児童の安全制を高めるために、手荷物を減らす目的で、ランドセルに取り付けることのできるサブバック。ランドセルのらんどせるを提供する。【解決手段】  ランドセルの冠にバック状の本発明品を、フック（１）で背カン首に取り付けベルト（２）で冠に事を特徴とする。【選択図】図１
2017104464.tif 000002
【特許請求の範囲】
【請求項１】
本発明品（サブバック）の上部にフック（１）両サイドにベルト（２）を設け、ランドセルの冠の上に覆うように固定するランドセルのらんどせる。
【発明の詳細な説明】
【技術分野】
【０００１】  この発明は、ランドセルの冠（かぶせ）に取り付けるサブバック。ランドセルのらんどせるに関するものである。
【背景技術】
【０００２】  従来、ランドセルに入りきれなかった学習道具などは、子ども達の手荷物となるか、ランドセルのナスカンにぶらさげて登下校していた。
【先行技術文献】
【特許文献】
【０００３】
【特許文献１】
【発明の概要】
【発明が解決しようとする課題】
【０００４】  これは、次のような欠点があった。
従来、通学中ランドセルに収まらなかった荷物は、ランドセルのナスカンにぶらさげるか、手荷物となっている。そのため転倒したり、ぶらさげた荷物が車と接触したりすることも考えられる。
本発明は、以上のような危険を防ぐためになされたものである。
【課題を解決するための手段】
【０００５】  バック状である本発明品のフック（１）とベルト（２）でランドセルの冠（かぶせ）にとりつける。
本発明は、以上の構成よりなるランドセルのらんどせるである。
【発明の効果】
【０００６】  （イ）  ランドセルに収まらなかった手荷物なども収めることができ、より安全に児童が登下校できる。
（ロ）  ランドセルの冠（かぶせ）を完全に覆うので、ランドセルの保護としても使用できる。
【図面の簡単な説明】
【０００７】
【図１】本発明の正面図である。
【発明を実施するための形態】
【０００８】  以下、本来発明を実施するための形態について説明する。
ランドセルの冠部分に、本発明をとりつける。背カン首に本発明のフック（１）をひっかけ、冠部分はベルト（２）で固定する。
本発明は、以上のような構造である。
これをつけておくことにより、ランドセルの冠部分のキズを防ぐともできる。
【符号の説明】
【０００９】  １  フック
２  ベルト
【図１】
2017104464.tif 000003
(57)【要約】      （修正有）【課題】ひも留めタイプの靴において、靴ひもを結ぶ代わりに使用し、靴ひもの固定と開放を容易に出来る様にした靴ひも留め具を提供する。【解決手段】外筒部１と内芯部２からなり、錐台形状の外筒部と内芯部をスライドし結合することにより、靴ひもを締めて固定する。内芯部を抜くと、靴ひもを開放し弛むようにした。【選択図】図２
2017104201.tif 000002
【特許請求の範囲】
【請求項１】
外筒部と内芯部で構成されており、外筒部に船底形状の靴ひもストッパーを設け、内芯部は靴ひもを溝部にそって穴に通しやすい構造を特徴とする。
【請求項２】
外筒部内側の船底形突出部分は、ひもの太さに合わせて成型位置を変えることにより固定化することを特徴とする。
【請求項３】
外筒部外側の突出部分は、内芯部溝に通したひもの位置を合わせやすい様にすることを特徴とする。
【請求項４】
外筒部と内芯部を開放した状態ではひもに対して抵抗が無くなり、留め具を根元まで移動し固定することにより、外筒部と内芯部にひもがはさまり摩擦力で固定する。外筒部対して根元のひもは鉛直方向に働き、力の方向が分散することを特徴とする。
【請求項５】
外筒部の表面に、文字や絵柄を入れたり、外筒部自体の形状を変えることにより、目印として機能を有することを特徴とする、靴ひも留め具。
【発明の詳細な説明】
【技術分野】
【０００１】
本発明はひも留め具に係り、特に靴ひも留め具に好適に利用できるものである。
【背景技術】
【０００２】
従来より、靴ひもを結び解く事に手間が掛かり、激しい運動等で解けることがあっ
た。同じような靴を履き間違えることがあった。
【発明の概要】
【発明が解決しようとする課題】
【０００３】
そのために、次のような問題点があった。
（イ）従来のひも靴は、ひもを結び解かなければ、脱ぎ履きが簡単に行えない。
（ロ）靴ひもの喋々結びが難しく、解けた場合はひもを踏んで転倒することがある。
（ハ）同じような靴が多く、識別が出来ず履き間違えることがある。
【課題を解決するための手段】
【０００４】
添付図(図1・図2・図9・図10）を参照して、本発明の要旨を説明する。
【０００５】
外筒部と内芯部で構成されており、靴ひもを先に外筒部に通し,内芯部の溝部に
そって穴に通す。内芯部を外筒部に押し込む事によって、ひもを固定し、内芯部を
抜くと弛むようになる。
靴ひもは、容易に脱げる長さに調整し、先端は靴内に納めて転倒しない様にする。
【０００６】
靴ひも留め具を付けることで、目印として識別する。
【発明の効果】
【０００７】
靴ひもを結ぶことなく、靴ひもを締め付けると同時に固定し、また脱ぐ時も簡単に
ひもが弛むので靴の脱ぎ履きができる。
【０００８】
靴ひも留め具の色調及び形状を変える事により、一層容易に識別が出来る。
【図面の簡単な説明】
【０００９】
【図１】本発明の外筒部と内芯部を結合した斜視図
【図２】本発明の外筒部と内芯部を分離した斜視図
【図３】本発明の外筒部平面図
【図４】本発明の外筒部底面図
【図５】本発明の外筒部断面図
【図６】本発明の内芯部平面図
【図７】本発明の内芯部底面図
【図８】本発明の内芯部断面図
【図９】図面代用写真（留め具固定状態）
【図１０】図面代用写真（留め具開放状態）
【符号の説明】
【００１０】
１  外筒部
２  内芯部
３  靴ひもストッパー
４  靴ひも通し溝
５  靴ひも通し穴
６  ガイド
７  絵柄
【図１】
2017104201.tif 000003
【図２】
2017104201.tif 000004
【図３】
2017104201.tif 000005
【図４】
2017104201.tif 000006
【図５】
2017104201.tif 000007
【図６】
2017104201.tif 000008
【図７】
2017104201.tif 000009
【図８】
2017104201.tif 000010
【図９】
2017104201.tif 000011
【図１０】
2017104201.tif 000012